(57)【特許請求の範囲】
【請求項１】
データ送受信機能を具備するデータ端末が接続可能であり、また、無線回線上に情報チャネル、高速付随制御チャネル及び低速付随制御チャネルを備えた携帯電話のデータ転送装置において、
前記データ端末より入力された転送データのデータ量を測定する転送データ量測定手段と、
前記転送データ量測定手段で測定されたデータ量を所定値と比較し、当該比較結果に応じて、前記高速付随制御チャネル及び低速付随制御チャネルのうちの一方を選択するチャネル選択手段と、
前記チャネル選択手段で選択されたチャネルを使用して、前記データ端末より入力された転送データを無線回線へ送出するデータ転送手段と、
音声伝送を、前記データ転送手段によるデータ転送の有無に拘わらず、前記情報チャネルを使用して行う音声伝送手段と、
を有することを特徴とする携帯電話のデータ転送装置。
【請求項２】
前記音声伝送手段は、前記チャネル選択手段が前記低速付随制御チャネルを選択したときには、音声伝送を前記情報チャネル及び前記高速付随制御チャネルを使用して行うことを特徴とする請求項１記載の携帯電話のデータ転送装置。
【請求項３】
前記チャネル選択手段は、前記測定されたデータ量が前記所定値よりも多い場合には高速付随制御チャネルを選択し、少ない場合には低速付随制御チャネルを選択することを特徴とする請求項１記載の携帯電話のデータ転送装置。
【請求項４】
音声通話を監視して無音状態を検出する無音状態監視手段を、更に有し、
前記チャネル選択手段は、前記無音状態監視手段が無音状態を検出していれば、高速付随制御チャネルを選択することを特徴とする請求項１記載の携帯電話のデータ転送装置。
【請求項５】
音声通話及びデータ転送のうちで優先すべき方を指定する優先指定情報を外部から受けて保存する保存手段を、更に有し、
前記チャネル選択手段は、前記無音状態監視手段が無音状態を検出しておらず、前記保存手段に保存された優先指定情報が音声通話であり、かつ、前記測定されたデータ量が前記所定値よりも多い場合には、低速付随制御チャネルを選択し、前記無音状態監視手段が無音状態を検出しておらず、前記保存手段に保存された優先指定情報が音声通話であり、かつ、前記測定されたデータ量が前記所定値よりも少ない場合には、高速付随制御チャネルを選択し、前記無音状態監視手段が無音状態を検出しておらず、前記保存手段に保存された優先指定情報がデータ転送であり、かつ、前記測定されたデータ量が前記所定値よりも多い場合には、高速付随制御チャネルを選択し、前記無音状態監視手段が無音状態を検出しておらず、前記保存手段に保存された優先指定情報がデータ転送であり、かつ、前記測定されたデータ量が前記所定値よりも少ない場合には、低速付随制御チャネルを選択することを特徴とする請求項４記載の携帯電話のデータ転送装置。
【請求項６】
転送されたデータを一時的に格納する格納手段と、
前記格納手段の格納状態を監視し、格納に必要なリソースの確保が行えない場合に、データ転送元装置に対して送信規制を要求する送信規制要求手段と、
データ転送先装置から送信規制を要求されたとき、データの転送を一時的に規制する規制手段と、
を有することを特徴とする請求項１記載の携帯電話のデータ転送装置。
【請求項７】
音声通話終了後、データ通信の実行状態を監視するデータ通信監視手段と、
前記データ通信監視手段によって、データ通信が所定時間に亘って実行されていないことが検出されたときに、呼接続の解放を自動的に行う呼接続解放手段と、
を有することを特徴とする請求項１記載の携帯電話のデータ転送装置。
【請求項８】
音声通話終了後、データ通信の実行状態を監視するデータ通信監視手段と、
前記データ通信監視手段によって、データ通信が所定時間に亘って実行されていないことが検出されたときに、携帯電話の電源を自動的に切断する電源切断手段と、
を有することを特徴とする請求項１記載の携帯電話のデータ転送装置。
【請求項９】
データ転送先装置の動作を制御する制御信号を外部から受けてデータ転送先装置に送出する制御信号送出手段と、
データ転送元装置から送られた制御信号に従い、自携帯電話を動作させる動作制御手段と、
を有することを特徴とする請求項１記載の携帯電話のデータ転送装置。
【請求項１０】
前記制御信号送出手段が制御信号を送出する前に、確認コードの入力を促す表示を行う確認入力表示手段と、
前記確認入力表示手段により促された結果、外部から入力された確認コードを照合し、適正であることを確認したときに、前記制御信号送出手段が制御信号を送出することを許可する許可手段と、
を有することを特徴とする請求項９記載の携帯電話のデータ転送装置。
【請求項１１】
前記動作制御手段が自携帯電話を動作させる前に、制御信号に付随する相手確認コードを抽出する抽出手段と、
前記抽出手段により抽出された相手確認コードが、予め登録されたテーブルに存在するか否かを確認する確認手段と、
前記確認手段により確認されたときに、前記動作制御手段が自携帯電話を動作させることを許可する許可手段と、
を有することを特徴とする請求項９記載の携帯電話のデータ転送装置。
【請求項１２】
前記動作制御手段が制御信号に従い自携帯電話を動作させてよいか否かに関する許容情報を、外部から受ける許容情報受信手段と、
前記許容情報受信手段で受けた許容情報に従い、前記動作制御手段の動作を制御する動作制御手段と、
を有することを特徴とする請求項９記載の携帯電話のデータ転送装置。
【発明の詳細な説明】
【０００１】
【発明の属する技術分野】
本発明は、携帯電話のデータ転送装置に関し、特に、データ送受信機能を具備するデータ端末が接続可能であり、また、無線回線上に情報チャネル、高速付随制御チャネル及び低速付随制御チャネルを備えた携帯電話のデータ転送装置に関する。
【０００２】
ノート型パーソナルコンピュータの小型化や、携帯型情報端末の普及などにより、携帯電話が、音声通話だけではなく、文字、データなどの情報転送の手段としても利用されるようになって来た。
【０００３】
また、安価な携帯端末装置、使用料金の低下などにより、携帯電話の普及がめざましく、その使用方法もこれから多様化していくことが予想される。なかでも、携帯端末装置にデータ端末を接続し、データ端末間でデータ転送を行いたいという要求が大きく、より効率的なデータ転送方式の開発が期待されている。データ転送の中でも、特に、通話中において通話を継続したまま、効率的なデータ転送を行えることが期待される。音声通話中にデータ転送の要求が生じる場合としては、例えば、音声通話中に通信相手に自分の住所やメールアドレスを知らせたい、テキスト文書を送りそれを見ながら会話をしたい、携帯電話のメモリ中の電話番号を転送したい、などといったものがある。
【０００４】
【従来の技術】
従来、携帯電話を用いたデータ転送時の機器構成は、データ端末の入出力ポートと携帯電話の入出力ポートを変換アダプタ（またはモバイルカード）を介して接続する構成が一般的である。データ端末と変換アダプタとの間はＲＳ−２３２Ｃのインタフェースが介在する。
【０００５】
携帯電話と基地局との間の無線区間では、ディジタル方式自動車電話システムの標準規格（ＲＣＲ−ＳＴＤ−２７Ｄ）が適用される。この標準規格によれば、ＴＤＭＡフレーム構成の通信用のスロットに、１１２ビットの情報チャネルＴＣＨ(Traffic Channel) が２つ設けられ、通常これらの２つの情報チャネルＴＣＨを使用して、符号化された音声の伝送が行われる。データ端末を携帯電話に接続して、データ転送を行う場合には、２つの情報チャネルＴＣＨを転送データの伝送用に割り当てる。
【０００６】
図２５は、ディジタル方式自動車電話システムの標準規格（ＲＣＲ−ＳＴＤ−２７Ｄ）にて規定される、電話通信と非電話通信（ＦＡＸ，データ通信）との間の従来の切り替え手順を示したシーケンス図である。ここでは、携帯電話Ａ１と携帯電話Ａ２とが、基地局Ｂ１、交換機Ｃ１、交換機Ｃ２、基地局Ｂ２を介して接続されているものとして説明する。
【０００７】
携帯電話Ａ１，Ａ２間の情報チャネルＴＣＨを使用した音声通話中（Ｄ１）に、携帯電話Ａ１から携帯電話Ａ２へ向けてデータ転送の要求が生じた場合には、携帯電話Ａ１から音声により相手に非電話通信切り替え操作を依頼し、相手携帯電話Ａ２の動作モードを非電話通信モードに切り替える操作（Ｄ２）をしてもらう。切り替え操作を行われた携帯電話Ａ２は、接続される網に対して、レイヤ３のＣＣメッセージであるＩＮＦＯ（ＦＡ）メッセージを送信し、通信モードの切り替え要求を行う（Ｄ３）。その後、網から、切り替え要求に対する応答を表すＩＮＦＯ（ＦＩ）メッセージが送られ（Ｄ４）、これを受信した携帯電話Ａ２は、非電話通信モードとなり、データ転送が可能な状態となる。
【０００８】
携帯電話Ａ１は、相手携帯電話Ａ２の動作モードが非電話通信モードに切り替わった後に、自携帯電話の動作モードを非電話通信モードに切り替えるべく、非電話通信切り替え操作（Ｄ５）を行う。その結果、手順Ｄ３，Ｄ４と同じ手順Ｄ６，Ｄ７が実施される。これにより、携帯電話Ａ１，Ａ２間が情報チャネルＴＣＨを使用したデータ転送状態（Ｄ８）になる。
【０００９】
次に、データ転送が終了した場合、携帯電話Ａ１の動作モードを電話通信モードに切り替える操作（Ｄ９）が行われる。その結果、手順Ｄ３，Ｄ４と同じ手順Ｄ１０，Ｄ１１が実施される。その後、携帯電話Ａ２の動作モードを電話通信モードに切り替える操作（Ｄ１２）が行われる。その結果、手順Ｄ３，Ｄ４と同じ手順Ｄ１３，Ｄ１４が実施される。これにより、携帯電話Ａ１，Ａ２間が情報チャネルＴＣＨを使用した音声通話状態（Ｄ１５）に戻る。
【００１０】
【発明が解決しようとする課題】
しかし、従来の装置では、転送すべきデータの量の多少に拘わらず、データ転送を２つの情報チャネル（ＴＣＨ）を使用して行う。そのため、データ転送中に音声通話ができない不便さがあるばかりでなく、転送データ量が少ない場合でも、２つの情報チャネル（ＴＣＨ）を占有してしまい、データの伝送効率がよくないという問題がある。
【００１１】
また、音声通話中にデータ転送の要求が生じた場合には、音声通話中に、音声にてデータ転送を開始することを相手に対して通知し、相手側及び自側の通信モードを非電話通信モードに切り替えてデータ転送を開始する。そして、データ転送終了後、再度、音声通話を再開するには、電話通信モードへの切り戻しを行う。こうした一連の処理の中に人手に頼る部分が多くあるので、データ転送が確実に行われにくく、またデータ転送に時間が多くかかるという問題がある。
【００１２】
また、従来の上記手順では、データ転送が終了したことを、携帯電話Ａ１が相手携帯電話Ａ２に対して確実に通知する手段がなく、そのため、携帯電話Ａ２が、データ転送中に誤って音声通話への切り戻し操作を行う可能性や、データ転送が終了しているのも拘わらず、音声通話への切り戻し操作を長い時間に亘って行わない可能性がある。
【００１３】
更に、従来の装置では、データ転送中は、音声通話ができないために、コールウェイティング、三者通話等の第２呼に対する付加サービスが利用できないといった問題もある。
【００１４】
本発明はこのような点に鑑みてなされたものであり、効率的で確実なデータ転送を実現し、また、音声通話への影響や付加サービスの使用制限を極力最小限としたデータ転送を実現する携帯電話のデータ転送装置を提供することを目的とする。
【００１５】
【課題を解決するための手段】
本発明では上記目的を達成するために、図１に示すように、データ端末１より携帯電話２に入力された転送データのデータ量を測定する転送データ量測定手段２ａと、転送データ量測定手段２ａで測定されたデータ量を所定値と比較し、その比較結果に応じて、無線回線上に設定される高速付随制御チャネル及び低速付随制御チャネルのうちの一方を選択するチャネル選択手段２ｂと、チャネル選択手段２ｂで選択されたチャネルを使用して、データ端末１より入力された転送データを無線回線へ送出するデータ転送手段２ｃと、音声伝送を、データ転送手段２ｃによるデータ転送の有無に拘わらず、情報チャネルを使用して行う音声伝送手段２ｄとを、有することを特徴とする携帯電話のデータ転送装置が提供される。
【００１６】
以上のような構成において、携帯電話２と基地局３との間の無線回線では、ディジタル方式自動車電話システムの標準規格（ＲＣＲ−ＳＴＤ−２７Ｄ）が適用される。この標準規格で規定されるＴＤＭＡフレーム構成の通信用のスロットを、図２を参照して説明する。
【００１７】
図２は、ディジタル方式自動車電話システムの標準規格（ＲＣＲ−ＳＴＤ−２７Ｄ）で規定される通信用のスロットの構成を示す図である。このスロットは、２８０ビットからなり、その中に、各１１２ビットのゾーン４，５と、１５ビットのゾーン６とが設けられる。ゾーン４，５は、情報チャネルＴＣＨまたは高速付随制御チャネルＦＡＣＣＨ(Fast Associated Control Channel) としてそれぞれ使用可能となっている。また、ゾーン６は、ハウスキーピングチャネルＲＣＨまたは低速付随制御チャネルＳＡＣＣＨ(Slow Associated Control Channel) として使用可能になっている。本発明では、ゾーン４を情報チャネルＴＣＨとして常時使用して音声通話専用に使用し、ゾーン５を、情報チャネルＴＣＨまたは高速付随制御チャネルＦＡＣＣＨに使い分けるようにする。すなわち、データ転送を高速付随制御チャネルＦＡＣＣＨで行うように決定された場合には、ゾーン５を高速付随制御チャネルＦＡＣＣＨとして使用してデータ転送を行い、一方、データ転送を低速付随制御チャネルＳＡＣＣＨで行うように決定された場合には、ゾーン５を情報チャネルＴＣＨとして使用して音声通話に用い、データ転送を、ゾーン６に設定した低速付随制御チャネルＳＡＣＣＨによって行う。
【００１８】
図１に戻って、通常の音声通話の場合には、携帯電話２は、基地局３を介して交換機に接続され、音声伝送手段２ｄにより、回線網の先に接続された通常の電話器や携帯電話と通話を行う。ただし、この場合にはゾーン５が情報チャネルＴＣＨに設定されて、ゾーン４の情報チャネルＴＣＨと共に音声通話に用いられる。
【００１９】
この通話中に、携帯電話２に接続されたデータ端末１から、回線網の先の、例えば携帯電話（図示せず）に接続されたデータ端末（図示せず）に、データを転送しようとする場合、転送データ量測定手段２ａが、先ず、データ端末１より入力された転送データのデータ量を測定する。この測定されたデータ量を、チャネル選択手段２ｂが所定値と比較し、その比較結果に応じて、高速付随制御チャネルＦＡＣＣＨ及び低速付随制御チャネルＳＡＣＣＨのうちの一方を選択する。データ転送手段２ｃは、チャネル選択手段２ｂで選択されたチャネルを使用して、データ端末１より入力された転送データを無線回線へ送出する。このデータ転送の間にも、音声伝送は、音声伝送手段２ｄにより情報チャネルＴＣＨを使用して行われる。
【００２０】
このように、データ転送中にも音声通話が同時にできるようにするとともに、チャネル選択手段２ｂが高速付随制御チャネルＦＡＣＣＨ及び低速付随制御チャネルＳＡＣＣＨのうちの一方を適切に選択し、これによりデータ転送が行われる。また、チャネル選択手段２ｂが低速付随制御チャネルを選択したときには、音声伝送手段２ｄが、音声伝送を情報チャネルＴＣＨ及び高速付随制御チャネルＦＡＣＣＨを使用して行う。従って、携帯電話２は効率的なデータ転送を実現し、また、音声通話への影響や付加サービスの使用制限を極力最小限としたデータ転送を実現する。
【００２１】
なお、チャネル選択手段２ｂは、転送データ量測定手段２ａで測定されたデータ量が所定値よりも多い場合には高速付随制御チャネルを選択し、少ない場合には低速付随制御チャネルを選択する。これにより、より効率的なデータ転送を実現することができる。
【００２２】
また、チャネル選択手段２ｂは、こうした選択ではなく、次のような選択を行ってもよい。
本発明の携帯電話のデータ転送装置は、音声通話を監視して無音状態を検出する無音状態監視手段や、音声通話及びデータ転送のうちで優先すべき方を指定する優先指定情報を外部から受けて保存する保存手段を、更に備える。そして、チャネル選択手段２ｂが、転送データ量測定手段２ａで測定されたデータ量だけでなく、無音状態監視手段による無音状態の検出や、保存手段に保存された優先指定情報に応じて、高速付随制御チャネル及び低速付随制御チャネルのうちの一方を選択するようにする。
【００２３】
【発明の実施の形態】
以下、本発明の実施の形態を、図面を参照して説明する。
まず、本発明の実施の形態の原理構成を、図１を参照して説明する。本発明の実施の形態に係る携帯電話のデータ転送装置は、データ端末１より携帯電話２に入力された転送データのデータ量を測定する転送データ量測定手段２ａと、転送データ量測定手段２ａで測定されたデータ量を所定値と比較し、その比較結果に応じて、無線回線上に設定される高速付随制御チャネル及び低速付随制御チャネルのうちの一方を選択するチャネル選択手段２ｂと、チャネル選択手段２ｂで選択されたチャネルを使用して、データ端末１より入力された転送データを無線回線へ送出するデータ転送手段２ｃと、音声伝送を、データ転送手段２ｃによるデータ転送の有無に拘わらず、情報チャネルを使用して行う音声伝送手段２ｄとを備える。
【００２４】
以上のような構成において、携帯電話２と基地局３との間の無線回線では、ディジタル方式自動車電話システムの標準規格（ＲＣＲ−ＳＴＤ−２７Ｄ）が適用される。この標準規格で規定されるＴＤＭＡフレーム構成の通信用のスロットを、図２を参照して説明する。
【００２５】
図２は、ディジタル方式自動車電話システムの標準規格（ＲＣＲ−ＳＴＤ−２７Ｄ）で規定される通信用のスロットの構成を示す図である。このスロットは、２８０ビットからなり、その中に、各１１２ビットのゾーン４，５と、１５ビットのゾーン６とが設けられる。ゾーン４，５は、情報チャネルＴＣＨまたは高速付随制御チャネルＦＡＣＣＨ(Fast Associated Control Channel) としてそれぞれ使用可能となっている。また、ゾーン６は、ハウスキーピングチャネルＲＣＨまたは低速付随制御チャネルＳＡＣＣＨ(Slow Associated Control Channel) として使用可能になっている。本発明では、ゾーン４を情報チャネルＴＣＨとして常時使用して音声通話専用に使用し、ゾーン５を、情報チャネルＴＣＨまたは高速付随制御チャネルＦＡＣＣＨに使い分けるようにする。すなわち、データ転送を高速付随制御チャネルＦＡＣＣＨで行うように決定された場合には、ゾーン５を高速付随制御チャネルＦＡＣＣＨとして使用してデータ転送を行い、一方、データ転送を低速付随制御チャネルＳＡＣＣＨで行うように決定された場合には、ゾーン５を情報チャネルＴＣＨとして使用して音声通話に用い、データ転送を、ゾーン６に設定した低速付随制御チャネルＳＡＣＣＨによって行う。
【００２６】
図１に戻って、通常の音声通話の場合には、携帯電話２は、基地局３を介して交換機に接続され、音声伝送手段２ｄにより、回線網の先に接続された通常の電話器や携帯電話と通話を行う。ただし、この場合にはゾーン５が情報チャネルＴＣＨに設定されて、ゾーン４の情報チャネルＴＣＨと共に音声通話に用いられる。
【００２７】
この通話中に、携帯電話２に接続されたデータ端末１から、回線網の先の、例えば携帯電話（図示せず）に接続されたデータ端末（図示せず）に、データを転送しようとする場合、転送データ量測定手段２ａが、先ず、データ端末１より入力された転送データのデータ量を測定する。この測定されたデータ量を、チャネル選択手段２ｂが所定値と比較し、その比較結果に応じて、高速付随制御チャネルＦＡＣＣＨ及び低速付随制御チャネルＳＡＣＣＨのうちの一方を選択する。データ転送手段２ｃは、チャネル選択手段２ｂで選択されたチャネルを使用して、データ端末１より入力された転送データを無線回線へ送出する。このデータ転送の間にも、音声伝送は、音声伝送手段２ｄにより情報チャネルＴＣＨを使用して行われる。
【００２８】
このように、データ転送中にも音声通話が同時にできるようにするとともに、チャネル選択手段２ｂが高速付随制御チャネルＦＡＣＣＨ及び低速付随制御チャネルＳＡＣＣＨのうちの一方を適切に選択し、これによりデータ転送が行われる。また、チャネル選択手段２ｂが低速付随制御チャネルを選択したときには、音声伝送手段２ｄが、音声伝送を情報チャネルＴＣＨ及び高速付随制御チャネルＦＡＣＣＨを使用して行う。従って、携帯電話２は効率的なデータ転送を実現し、また、音声通話への影響や付加サービスの使用制限を極力最小限としたデータ転送を実現する。
【００２９】
なお、チャネル選択手段２ｂは、転送データ量測定手段２ａで測定されたデータ量が所定値よりも多い場合には高速付随制御チャネルを選択し、少ない場合には低速付随制御チャネルを選択する。これにより、より効率的なデータ転送を実現することができる。
【００３０】
また、チャネル選択手段２ｂは、こうした選択ではなく、次のような選択を行ってもよい。
本発明の携帯電話のデータ転送装置は、音声通話を監視して無音状態を検出する無音状態監視手段や、音声通話及びデータ転送のうちで優先すべき方を指定する優先指定情報を外部から受けて保存する保存手段を、更に備える。そして、チャネル選択手段２ｂが、転送データ量測定手段２ａで測定されたデータ量だけでなく、無音状態監視手段による無音状態の検出や、保存手段に保存された優先指定情報に応じて、高速付随制御チャネル及び低速付随制御チャネルのうちの一方を選択するようにする。
【００３１】
次に、本発明の実施の形態に係る携帯電話のデータ転送装置を詳しく説明する。
図３は、携帯電話の無線網を含んだ全体回線構成を例示する図である。図３の構成図において、回線網１６に交換機１５，１７が接続されており、交換機１５，１７に基地局１４，１８がそれぞれ接続されている。基地局１４には無線回線を介して携帯電話１３が接続され、基地局１８には無線回線を介して携帯電話１９が接続される。携帯電話１３には、アダプタ１２を介してデータ端末１１が接続される。携帯電話１３及びデータ端末１１にはそれぞれ入出力ポートが有り、それらの入出力ポートを介してアダプタ１２と接続される。同様に、携帯電話１９には、アダプタ２０を介してデータ端末２１が接続される。
【００３２】
上記の構成において、データ端末１１から送信された転送データは、携帯電話１３にて、レイヤ３のＣＣメッセージであるＵＳＥＲ−ＩＮＦＯメッセージの中に設定される。そして、送信データ量、通話状態などに応じて、高速付随制御チャネルＦＡＣＣＨ及び低速付随制御チャネルＳＡＣＣＨのうちのいずれかを使用して無線回線上に送信される。
【００３３】
データ端末１１からの転送データは、基地局１４，交換機１５，回線網１６，交換機１７，基地局１８を経た後、再びＵＳＥＲ−ＩＮＦＯメッセージの中に設定されて、無線回線から携帯電話１９へ送られる。携帯電話１９は、上記とは逆の手順に従い、転送データをデータ端末２１に送信する。なおもし、携帯電話１９において、携帯電話１３から受信したＵＳＥＲ−ＩＮＦＯメッセージの内容が、転送データではなく制御情報である場合には、通知された制御情報の内容に従って、携帯電話１９の動作を決定する。
【００３４】
図４は、携帯電話１３の内部構成を示す図である。携帯電話１９も携帯電話１３と同じ内部構成となっている。
携帯電話１３は、マイク１３ａ、入出力ポート１３ｂ、音声検出部１３ｃ、ＣＯＤＥＣ１３ｄ、無線制御部１３ｅ、アンテナ１３ｆ、ＣＰＵ１３ｇ、メモリ１３ｈ、表示操作部１３ｉ、液晶表示画面１３ｊ等から構成される。
【００３５】
図５は、メモリ１３ｈに格納されたプログラムをＣＰＵ１３ｇが実行することで得られる諸機能をブロック化して示す図である。すなわち、主に表示制御部２２，通信制御部２３，端末インタフェース制御部２４に分けられる。
【００３６】
図４及び図５において、音声検出部１３ｃは、マイク１３ａからの出力を監視して音声通話状態を検出し、音声通話状態を通信制御部２３に通知する。
端末インタフェース制御部２４は、携帯電話１３とデータ端末１１との間で行われるデータの送受信に関する制御を行ったり、受信データをメモリ１３ｈ内の蓄積エリアへ格納したり、蓄積エリアから読み出したり、また通信制御部２３との間で行われるデータ送受信に関する制御を行ったりする。
【００３７】
通信制御部２３は、ディジタル方式自動車電話システムの標準規格（ＲＣＲ−ＳＴＤ−２７Ｄ）にて規定される無線通信におけるレイヤ２、レイヤ３の制御を行い、携帯電話としての通信に関する動作及びサービスを実現する処理を行う。例えば、端末インタフェース制御部２４から送られたデータのＵＳＥＲ−ＩＮＦＯメッセージへの設定を行ったり、音声検出部１３ｃから通知された通話状態、端末インタフェース制御部２４から通知されたデータ量、及びメモリ１３ｈに設定されている優先識別情報に従い、送信チャネルを決定したり、また、通話終了後にデータ転送中であれば無通信監視を開始したりする。
【００３８】
表示制御部２２は、表示操作部１３ｉから入力されたユーザ操作指示に従った制御を行ったり、画面表示などの携帯電話１３の動作に関する制御を行う部分であり、例えば、ユーザ操作に対応した処理要求（データ転送開始など）の通信制御部２３への通知、通信制御部２３から通知された制御情報に従った携帯電話１３の動作の決定等を行う。
【００３９】
図６は、携帯電話１３と携帯電話１９との間で行われる通信の主なる手順を示すシーケンス図である。以下、この通信手順を、図中に示したステップ（Ｓ）番号と対応させながら説明する。
【００４０】
音声通話中状態（Ｓ１）において、データ転送の要求が発生した場合には、携帯電話１３の使用者により、データ転送開始要求操作（Ｓ２）が行われる。
データ転送を開始できる状態であれば、標準規格ＲＣＲ−ＳＴＤ−２７Ｄの規定に従い、ユーザ・ユーザ情報転送手順を開始し、ＦＡＣ（サービス３要求）メッセージを携帯電話１９に対して送信する。これに対して携帯電話１９から受付応答のＦＡＣ（サービス３受付）メッセージが送信される（Ｓ３）。
【００４１】
携帯電話１３は、ＦＡＣ（サービス３受付）メッセージを受信した場合、携帯電話１９に対して転送開始要求を設定したＵＳＥＲ−ＩＮＦＯメッセージを作成し、送信する（Ｓ４）。ＵＳＥＲ−ＩＮＦＯメッセージを受信した携帯電話１９は、ＵＳＥＲ−ＩＮＦＯメッセージの内容を解析し、メッセージが転送開始要求を示すものであれば、液晶表示画面１３ｊに「テンソウカイシ」を表示する（Ｓ５）。
【００４２】
その後、携帯電話１９の使用者によりデータ転送受付を承諾する操作が行われると（Ｓ６）、携帯電話１９は、携帯電話１３に対して転送開始受付を応答するＵＳＥＲ−ＩＮＦＯメッセージを送信する（Ｓ７）。
【００４３】
携帯電話１３は、このＵＳＥＲ−ＩＮＦＯメッセージを受信すると、携帯電話１９との間で一連のデータ転送手順を実行する（Ｓ８）。この詳細については、後述する。
【００４４】
その後、携帯電話１３に対してユーザ操作によりデータ転送の終了が通知された場合（Ｓ９）には、携帯電話１３は、携帯電話１９に対して転送終了を設定したＵＳＥＲ−ＩＮＦＯメッセージを送信する（Ｓ１０）。これを受けた携帯電話１９は、液晶表示画面１３ｊに「テンソウシュウリョウ」を表示する（Ｓ１１）。
【００４５】
そして、携帯電話１９は、携帯電話１３に対して転送終了応答を設定したＵＳＥＲ−ＩＮＦＯメッセージを送信する（Ｓ１２）。このＵＳＥＲ−ＩＮＦＯメッセージを受信した携帯電話１３では、データ転送終了処理が行われ、電話通信状態に戻る（Ｓ１３）。
【００４６】
次に、携帯電話１３，１９で行われる具体的なデータ転送処理の内容を、図７以降を参照して説明する。
図７〜図１４は、携帯電話１３，１９で行われるデータ転送の開始から終了まで処理を示すフローチャートである。そのうちで、図７〜図１０は、データ送信側の携帯電話１３の処理内容を示し、図１１〜図１４は、データ受信側の携帯電話１９の処理内容を示す。以下では、データ転送の処理手順に沿って説明し、適宜、図７〜図１４に示したステップ（Ｓ）番号を引用する。
【００４７】
先ず、図７及び図１１を参照して、図６に示すステップＳ１からステップＳ５までに相当する処理を説明する。
音声通話中状態において、データ転送の要求が発生すると、携帯電話１３に対して、データ転送開始を要求するためのユーザ操作が行われる（図７のＳ２１）。表示操作部１３ｉからのユーザ操作が行われたことを、携帯電話１３の表示制御部２２が検出した場合には、表示制御部２２は通信制御部２３に対して、データ転送要求を通知する（図７のＳ２２）。データ転送要求を受信した通信制御部２３は、携帯電話１３がデータ転送を開始できる状態（通話中）でない場合には、本通知を廃棄する（図７のＳ２３）。データ転送を開始できる状態であれば、標準規格ＲＣＲ−ＳＴＤ−２７Ｄの規定に従い、ユーザ・ユーザ情報転送手順を開始して、受信待ちタイマによる計時をスタートさせる（図７のＳ２４）とともに、ＦＡＣ（サービス３要求）メッセージを携帯電話１９に対して送信する（図７のＳ２５）。
【００４８】
着信側携帯電話１９は、ＦＡＣ（サービス３要求）メッセージを受信する（図１１のＳ３１）と、通信制御部が、ユーザ・ユーザ情報転送サービスを許容できるか否かを判別する。許容できるならば、受付応答のＦＡＣ（サービス３受付）メッセージを携帯電話１３へ送る（図１１のＳ３２）。許容できないならば、ＦＡＣ（サービス３受付拒否）メッセージを携帯電話１３へ送る（図１１のＳ３３）と共に、ＦＡＣ（サービス３要求）メッセージを廃棄する（図１１のＳ３４）。
【００４９】
携帯電話１９の通信制御部２３は、携帯電話１９からＦＡＣ（サービス３受付）メッセージを受信した場合には（図７のＳ２６，Ｓ２７）、携帯電話１９に対して転送開始要求を設定したＵＳＥＲ−ＩＮＦＯメッセージを作成し、送信する（図７のＳ２８）。また、ＦＡＣ（サービス３受付拒否）メッセージを受信した場合（図７のＳ２６，Ｓ２７）、通信制御部２３は、データ転送不可を示す情報を表示制御部２２に通知する。表示制御部２２は、その情報を液晶表示画面１３ｊに表示する（図７のＳ３０）。
【００５０】
なお、網にてユーザ・ユーザ情報転送サービスを提供していない場合には、網からＳＴＡＴメッセージが通知される（図７のＳ２９）。通信制御部２３は、ＳＴＡＴメッセージに設定された、理由を示す情報を表示制御部２２に通知する。表示制御部２２は、その情報を液晶表示画面１３ｊに表示する（図７のＳ３０）。更になお、ステップＳ２４（図７）でスタートされた受信待ちタイマが所定時間を計時完了（タイムアウト）してもＦＡＣ（サービス３受付）メッセージが携帯電話１９から通知されない場合にも、通信制御部２３は、データ転送不可を示す情報を表示制御部２２に通知する。
【００５１】
転送不可を受信した表示制御部２２は、携帯電話１３の液晶表示画面１３ｊにデータ転送不可を示すメッセージを表示するが、メッセージ表示に連動して、規定音を鳴動するようにしてもよい。
【００５２】
携帯電話１３からのＵＳＥＲ−ＩＮＦＯメッセージを受信（図１１のＳ３５）した携帯電話１９の通信制御部は、ＵＳＥＲ−ＩＮＦＯメッセージの内容を解析し、このメッセージが転送開始要求を示すものであれば、表示制御部に対してデータ転送開始要求を通知する。この通知に従い、液晶表示画面に「テンソウカイシ」が表示される（図１１のＳ３６）。
【００５３】
次に、図１２，図８，図９，図１３を参照して、図６に示すステップＳ６からステップＳ８までに相当する処理を説明する。
携帯電話１９の液晶表示画面の表示を見た携帯電話１９の使用者が、データ転送受付操作（図１２のＳ４１）を行ったとする。これを契機として、携帯電話１９の通信制御部は、端末インタフェース部に対してデータ転送開始準備の要求を送る（図１２のＳ４２）と共に、転送開始要求の受付を応答したＵＳＥＲ−ＩＮＦＯメッセージを携帯電話１３に対して送信する（図１２のＳ４３）。
【００５４】
携帯電話１３において、転送開始要求受付を応答したＵＳＥＲ−ＩＮＦＯメッセージを携帯電話１９から受信した場合には（図８のＳ４４）、データ入力要求を端末インタフェース制御部２４に送信する（図８のＳ４５）。データ入力要求を受信した端末インタフェース制御部２４は、アダプタ１２に対してデータ転送要求を送信する（図８のＳ４６）。アダプタ１２は、インタフェースＲＳ−２３２Ｃの規定に従い、データ端末１１からのデータの入力を開始する（図８のＳ４７）。データ端末１１からアダプタ１２を介して端末インタフェース制御部２４に入力されたデータは、メモリ１３ｈ内の格納領域に格納される。端末インタフェース制御部２４は、データが転送された旨を通信制御部２３に対して通知する（図８のＳ４８）。
【００５５】
データが転送された旨を通知された通信制御部２３は、転送データを設定したＵＳＥＲ−ＩＮＦＯメッセージを作成し、携帯電話１９に対して送信することになるが、この際、転送データに対して送信通番を設定する（図８のＳ４９）と同時に、メモリ１３ｈ内の格納領域に格納されたデータ量を規定値と比較する。データ量が規定値以上であれば、通信制御部２３は高速付随チャネルＦＡＣＣＨを選択し（図８のＳ５０）、規定値以下であれば低速付随チャネルＳＡＣＣＨを選択し（図８のＳ５１）、選択されたチャネルを使用して、データ転送を開始する（図８のＳ５２）。それと同時に、転送受付待ちタイマによる計時をスタートさせる（図８のＳ５３）。規定値は携帯電話固有の情報として携帯電話内のＲＯＭに格納されており、電源オン時にＲＯＭよりメモリ１３ｈ内に展開される。
【００５６】
なお、高速付随チャネルＦＡＣＣＨ及び低速付随チャネルＳＡＣＣＨのうちの一方を選択する方法は、図１６を参照して後述する方法によってもよい。
転送データを設定したＵＳＥＲ−ＩＮＦＯメッセージを受信（図１３のＳ５４）した携帯電話１９の通信制御部は、ＵＳＥＲ−ＩＮＦＯメッセージ内の転送データに設定されている送信通番と、それに対応する受信通番とを比較する。その結果、一致している場合には、転送データを端末インタフェース制御部に対して送信し（図１３のＳ５５）、端末インタフェース制御部は、アダプタ２０を介してデータ端末２１に対して、転送データを送信する。転送データがデータ端末２１まで届いたことを通知された通信制御部は、転送データ受付を設定したＵＳＥＲ−ＩＮＦＯメッセージを携帯電話１３に対して送信する（図１３のＳ５６）。この転送データ受付には受信通番（＝送信通番）と同じ通番を設定しておく。なお上記での比較の結果、通番不一致の場合には、受信した転送データを廃棄する（図１３のＳ５７）。
【００５７】
転送データ受付が設定されたＵＳＥＲ−ＩＮＦＯメッセージを受信（図９のＳ５８）した携帯電話１３の通信制御部２３は、転送データ受付に設定されている通番と、保持している送信通番を比較する。一致している場合には図８のステップＳ４５へ進んで、次データの読み込みを行い、不一致の場合には図９のステップＳ５９へ進む。ステップＳ５９では、再送実行回数をカウントする再送カウンタのカウント値をインクリメントする。
【００５８】
また、図９のステップＳ５３でスタートさせた転送受付待ちタイマが所定時間を計時完了しても、転送データ受付が設定されたＵＳＥＲ−ＩＮＦＯメッセージが受信されない場合にも、再送カウンタのカウント値をインクリメントする（図９のＳ５９）。再送カウンタのカウント値が所定値に達した場合には、データ転送の終了処理を行う（図９のＳ６０）。ここでは呼切断は行わない。一方、再送カウンタのカウント値が所定値に達していない場合には、前回送信データの再送を行う（図９のＳ６１）。
【００５９】
上記に示す以外の誤り制御は、標準規格ＲＣＲ−ＳＴＤ−２７Ｄに規定されるレイヤ２の制御により行われる。
次に、図１０，図１４を参照して、図６に示すステップＳ９からステップＳ１３までに相当する処理を説明する。
【００６０】
携帯電話１３の表示操作部１３ｉに対してユーザ操作によりデータ転送の終了が通知された場合には（図１０のＳ７１）、表示制御部２２より通信制御部２３に対してデータ転送終了が通知される（図１０のＳ７２）。表示制御部２２からデータ転送終了を通知された通信制御部２３は、端末インタフェース制御部２４に対してデータ転送終了を通知し（図１０のＳ７３）、端末インタフェース制御部２４は、データ端末１１からのデータの読み込み処理の停止をアダプタ１２に通知する（図１０のＳ７４）。アダプタ１２は流入規制をインタフェースＲＳ−２３２Ｃの規定に従い行う。
【００６１】
上記処理完了後、処理終了応答を受けた通信制御部２３は、携帯電話１９に対して、転送終了を設定したＵＳＥＲ−ＩＮＦＯメッセージを送信する（図１０のＳ７５）。
【００６２】
転送終了を通知された携帯電話１９の通信制御部は、端末インタフェース制御部、表示制御部に対して転送終了をそれぞれ通知した（図１４のＳ７６，Ｓ７７）後、携帯電話１３に対して転送終了応答を設定したＵＳＥＲ−ＩＮＦＯメッセージを送信する（図１４のＳ７８）。
【００６３】
転送終了を通知された端末インタフェース制御部、表示制御部は、携帯電話１３内での処理と同様にしてデータ転送終了処理を行う。この結果、通常は電話通信モードに戻る。
【００６４】
電波断などにより、通信を継続できない状態になった場合や、呼切断を要求するＤＩＳＣメッセージを携帯電話１３から受信した場合には、データ転送の終了処理を行った後、呼切断処理を行う。これについては、図１７及び図１８を参照して後述する。
【００６５】
図１５は、ＵＳＥＲ−ＩＮＦＯメッセージのフォーマットを示す図である。各行８ビットからなり、第３行目の「メッセージ種別」欄にコード「００１０００００」を設定することにより、このフォーマットがＵＳＥＲ−ＩＮＦＯメッセージであることが規定される。
【００６６】
図１６は、図８のステップＳ５０，Ｓ５１で示した送信チャネルの決定方法とは別の送信チャネル決定方法を示す図である。
すなわち、携帯電話１３において、予め表示操作部１３ｉに対して行われたユーザのファンクション操作により、優先識別情報が表示制御部２２を介してメモリ１３ｈ内の優先識別領域に格納される（Ｓ８１）。優先識別情報は、音声通話とデータ転送とのいずれを優先するかを示す情報である。
【００６７】
また、携帯電話１３内の音声検出部１３ｃが、公知の手段（受信レベル測定など）により、音声通話の無音状態を監視している。音声検出部１３ｃは、無音状態であることを検出すると通信制御部２３に対して無音状態であることを通知し（Ｓ８２）、通信制御部２３は、「無音状態」をメモリ１３ｈ内の音声通話状態領域に格納する。音声検出部１３ｃが音声を検出した場合には、メモリ１３ｈ内の音声通話状態領域に「音声通話中」が設定される。
【００６８】
通信制御部２３は、メモリ１３ｈ内の音声通話状態領域を参照し（Ｓ８３）、「無音状態」が格納されていれば、高速付随チャネルＦＡＣＣＨを使用して、ＵＳＥＲ−ＩＮＦＯメッセージを送信するように無線制御部１３ｅに対して通知する（Ｓ８４）。
【００６９】
音声通話状態領域に「音声通話中」が設定されている場合には、端末インタフェース制御部２４から通知された転送データ量、およびメモリ１３ｈ内の優先識別領域に格納された優先識別情報（Ｓ８５）を参照して送信チャネルを決定する。すなわち、優先識別情報でデータ転送が指定されており、かつ、転送データ量が規定値以上である場合には、高速付随制御チャネルＦＡＣＣＨを選択する（Ｓ８６）。優先識別情報でデータ転送が指定されており、かつ、転送データ量が規定値以下である場合には、低速付随制御チャネルＳＡＣＣＨを選択する（Ｓ８７）。優先識別情報で音声通話が指定されており、かつ、転送データ量が規定値以下である場合には、高速付随制御チャネルＦＡＣＣＨを選択する（Ｓ８８）。優先識別情報で音声通話が指定されており、かつ、転送データ量が規定値以上であ
る場合には、低速付随制御チャネルＳＡＣＣＨを選択する（Ｓ８９）。
【００７０】
こうして選択された送信チャネルを使用して、ＵＳＥＲ−ＩＮＦＯメッセージを送信するように、通信制御部２３は無線制御部１３ｅに通知する。
次に、データ転送状態から通信終了へ至る処理を、図１７及び図１８を参照して詳しく説明する。
【００７１】
図１７及び図１８は無通信監視手順を示す図であり、図１７はその前半を、図１８はその後半を示す。
音声通話とデータ転送とを同時実行中（Ｓ９１）に、携帯電話１３の表示操作部１３ｉに対してユーザ操作（オンフックなど）が行われると、それを検出した表示制御部２２が通信制御部２３に対して、そのユーザ操作を通知する（Ｓ９２）。
【００７２】
オンフックを通知された通信制御部２３は、現在の状態に応じて、データ転送中であれば、表示制御部２２に対してデータ転送中であることを通知する（Ｓ９３）と共に、監視タイマによる計時をスタートさせる（Ｓ９４）。一方、データ転送中でなければ、通常の終話処理を行う（Ｓ９５）。データ転送中であることを通知された表示制御部２２は、液晶表示画面１３ｊに対して「データ  テンソウチュウデス」という表示を行わせる。この時、同時に警告音を鳴動するようにしてもよい。
【００７３】
監視タイマは、通信制御部２３に端末インタフェース制御部２４よりデータ転送が通知された場合（Ｓ９６）、または、携帯電話１９より、ＵＳＥＲ−ＩＮＦＯメッセージを受信し、このメッセージがデータ転送に関連するメッセージであると分析された場合（Ｓ９７）に、再設定される。なお、表示操作部１３ｉに対して、ユーザ操作（オフフックなど）が行われたことを表示制御部２２から通知された場合には解除される。
【００７４】
監視タイマがタイムアウトした場合には、携帯電話１３の通信制御部２３は、携帯電話１９との間で、ＤＩＳＣメッセージ、ＲＥＬメッセージ、ＲＥＬ−ＣＯＭＰメッセージを送受信して終話処理を行う（Ｓ９８）。ＲＥＬメッセージは呼解放メッセージであり、ＲＥＬ−ＣＯＭＰメッセージは呼解放完了メッセージである。
【００７５】
なお自動電源オフが予め設定されていれば、終話処理の後、携帯電話１３の通信制御部２３は表示制御部２２に対して、自動電源オフを通知する。自動電源オフを通知された表示制御部２２は通常の手順により携帯電話１３の電源をオフにする。自動電源オフは、後述のように制御情報として設定されるものであり、ユーザによるファンクション操作によって設定される。
【００７６】
携帯電話１９においても、無通信監視中状態においてＤＩＳＣメッセージを受信した通信制御部は終話処理を行い、自動電源オフが予め設定されていれば、携帯電話１３と同様の手順により、携帯電話１９の電源をオフにする。
【００７７】
次に、転送データの受信側において受信処理ができなくなって送信側にデータ転送の送信を規制してほしい場合に行われる流入規制処理を、図１９〜図２２を参照して説明する。
【００７８】
図１９は、携帯電話１３，１９相互間で行われる流入規制のシーケンス図であり、図２０は、転送データ受信側の携帯電話１９で行われる規制処理を示すフローチャートであり、図２１は、転送データ送信側の携帯電話１３で行われる規制開始処理を示すフローチャートであり、図２２は、転送データ送信側の携帯電話１３で行われる規制解除処理を示すフローチャートである。以下、図１９〜図２２に示されるステップ（Ｓ）番号を適宜参照しながら説明する。
【００７９】
携帯電話１３からの転送データを受信（図１９のＳ１０１、図２０のＳ１１１）した携帯電話１９において、端末インタフェース制御部が、通信制御部より受信した転送データをメモリ内の格納領域に格納する。その際に、前回受信した転送データの出力処理が完了していない場合には、監視タイマによる計時をスタートさせる（図１９のＳ１０２、図２０のＳ１１２）と同時に、携帯電話１３に対して規制を設定したＵＳＥＲ−ＩＮＦＯメッセージを送信する（図１９のＳ１０３、図２０のＳ１１３）。転送データの出力処理が完了していれば次の転送データを受信する（図２０のＳ１１４）。
【００８０】
監視タイマのタイムアウト（図２０のＳ１１５）にて、メモリ内の格納領域を参照し（図１９のＳ１０４）、格納領域が空き状態となっていれば、携帯電話１３に対して、規制解除を設定したＵＳＥＲ−ＩＮＦＯメッセージを送信する（図１９のＳ１０５、図２０のＳ１１６）。監視タイマのタイムアウト時に、メモリ内の格納領域が空き状態となっていない場合には、監視タイマによる計時を再スタートさせる（図１９のＳ１０６、図２０のＳ１１７）。
【００８１】
規制が設定されたＵＳＥＲ−ＩＮＦＯメッセージを受信（図２１のＳ１１８）した携帯電話１３の通信制御部２３は、端末インタフェース制御部２４に対して流入規制を通知する（図２１のＳ１１９）。流入規制を受信した端末インタフェース制御部２４は、データ端末１１からの情報の読み込みを中止する。
【００８２】
また、規制解除が設定されたＵＳＥＲ−ＩＮＦＯメッセージを受信（図２２のＳ１２０）した携帯電話１３の通信制御部２３は、端末インタフェース制御部２４に対して、流入規制解除を送信する（図２２のＳ１２１）。流入規制解除を受信した端末インタフェース制御部２４は、データの読み込みを再開する。
【００８３】
データ端末１１からのデータの読み込みの規制／規制解除は、端末インタフェース制御部２４からアダプタ１２に通知される。
次に、制御情報の転送手順について説明する。
【００８４】
図６にステップＳ２及びステップＳ９で示したユーザ操作を行うときに、鳴動パターン、音量レベル、液晶画面表示メッセージ、自動電源オフ、バイブレータ機能、処理優先度等を、必要に応じて設定することができる。
【００８５】
携帯電話１３において、表示操作部１３ｉに対してユーザ操作により、上記の携帯電話の動作が設定される。表示制御部２２が、その動作を制御情報に変換し、通信制御部２３に対して通知する。
【００８６】
制御情報を通知された通信制御部２３は、図１５で示すＵＳＥＲ−ＩＮＦＯメッセージのフォーマットの「制御情報／転送データ」欄に、通知された制御情報を設定し、携帯電話１９に対して送信する。
【００８７】
携帯電話１９内の通信制御部は、通知された制御情報を表示制御部に対して通知する。表示制御部は、通知された制御情報に従って、携帯電話の動作を決定する。
【００８８】
制御情報の設定がない場合には、携帯電話の動作に関する処理は行わず、液晶表示画面に「ジョウホウ  テンソウ  カイシ」を表示する。同時に、警告音を鳴動するようにしてもよい。
【００８９】
なお、携帯電話１９に対して携帯電話の動作に関する制限条件（音量オフなど）が設定され、かつ、制御情報内に設定される処理優先度が「最優先」ではない場合には、制限条件に関する制御情報は無効として廃棄する。
【００９０】
次に、携帯電話１３，１９相互間で行われる認証の手順について、図２３及び図２４を参照して説明する。
図２３及び図２４は、認証手順を示すフローチャートであり、図２３はその前半を、図２４はその後半を示す。
【００９１】
本発明の実施の形態では、上述のように相手の携帯電話の動作をリモートにて指定することができる。これに伴い、指定を発信する携帯電話側のユーザの操作誤り等により、相手携帯電話の誤動作を招く可能性がある。これを防止するために、以下に示す認証処理を行う。
【００９２】
携帯電話１３において、自動電源オフ、音量レベル設定などの誤動作を招く危険性がある制御情報の入力操作が行われた場合には、表示制御部２２は、その制御情報により示されている動作が、予め指定されている許容動作であることを確認（Ｓ１３１）した上で、確認コードの入力を促す表示を液晶表示画面１３ｊに表示する（Ｓ１３２）。
【００９３】
この表示を見たユーザが確認コードを入力した場合、入力された確認コードが携帯電話１３に予め登録されているコードと一致するか否かを判定し、一致しない場合には、ユーザ操作を無視する（Ｓ１３３）。一致している場合には、前述の制御情報の転送手順に従って制御情報を携帯電話１９に対して送信する（Ｓ１３４）。
【００９４】
携帯電話１９の通信制御部は制御情報を受信し（Ｓ１３５）、その制御情報を表示制御部へ送る。携帯電話１９のメモリ内には許容テーブルが設けられており、この許容テーブルには、許容される通信相手の加入者番号が登録されている。表示制御部は、制御情報を送ってきた携帯電話の加入者番号がメモリ内の許容テーブルに登録されているかを確認する。登録されていれば、制御情報で指定されている動作を行い（Ｓ１３６）、登録されていない場合には、通知された制御情報を無視する（Ｓ１３７）。
【００９５】
なお、上記のような、制御情報を送ってきた携帯電話の加入者番号がメモリ内の許容テーブルに登録されているかを確認する方法に代わって、制御情報を送ってきた携帯電話の加入者番号が許容できるものであるか否か、或いは制御情報で指定された動作が許容できるものであるか否かを、ユーザ操作によって確認するようにしてもよい（Ｓ１３８）。
【００９６】
以上説明した実施の形態では、携帯電話どうしの間でデータ転送を行っているが、本発明は、両方が携帯電話であることに限定されるものではなく、一方だけが携帯電話でありさえすれば、他方は通常の有線回線電話であってもよい。
【００９７】
【発明の効果】
以上説明したように本発明では、音声通話用に情報チャネルＴＣＨを常時１つ確保した上で、データ転送用のチャネルを確保する。しかも、データ転送用のチャネルとして、転送データ量に基づき、低速付随チャネルＳＡＣＣＨ及び高速付随チャネルＦＡＣＣＨのうちから適切な方を選択するようにしている。或いは、転送データ量、音声通話とデータ転送のうちの優先順位、及び音声通話状態（無通信状態）に基づき、データ転送用のチャネルとして、低速付随チャネルＳＡＣＣＨ及び高速付随チャネルＦＡＣＣＨのうちから適切な方を選択するようにしている。
【００９８】
すなわち、情報チャネルＴＣＨ２つをデータ転送に占有することなく、しかも、転送データ量等に基づき、低速付随チャネルＳＡＣＣＨ及び高速付随チャネルＦＡＣＣＨのうちから適切な方を選択して、これを送信チャネルに使用するようにしている。しかも、データ転送用に低速付随チャネルＳＡＣＣＨが選択されているときには、高速付随チャネルＦＡＣＣＨを音声通話用に使用する。これにより、効率的なデータ転送が実現する。また、音声通話の専用チャネルが常時確保されるので、音声通話時にしか使用できない付加サービス（コ−ルウェイティング、三者通話等）もデータ転送中に使用可能となる。
【００９９】
また、非電話通信モードから電話通信モードに切り戻す時に、データ転送状態を監視し、データ転送が確実に完了した段階で、自動的に切り戻すようにしている。従って、データ転送が行われている最中に誤って切り戻しを行ってしまうことや、データ転送が完了しているのに、それを知らずに放置しておくようなことを防止できる。
【０１００】
また、転送データの受信側の携帯電話が、転送データの一時的な送信規制を送信側携帯電話に要求し、送信側携帯電話がそれに応じて送信規制を行うようにする。これにより、受信側の携帯電話でのデータ欠落を防止し、確実なデータ転送が実現する。
【０１０１】
更に、制御情報を使用して、相手側携帯電話の動作をリモート操作することが可能となるため、携帯電話の幅広い利用が可能となる。
【図面の簡単な説明】
【図１】本発明の原理説明図である。
【図２】ディジタル方式自動車電話システムの標準規格（ＲＣＲ−ＳＴＤ−２７Ｄ）で規定される通信用のスロットの構成を示す図である。
【図３】携帯電話の無線網を含んだ全体回線構成を例示する図である。
【図４】携帯電話の内部構成を示す図である。
【図５】メモリに格納されたプログラムをＣＰＵが実行することで得られる諸機能をブロック化して示す図である。
【図６】携帯電話と携帯電話との間で行われる通信の主なる手順を示すシーケンス図である。
【図７】データ送信側の携帯電話で行われるデータ転送処理の第１部分を示すフローチャートである。
【図８】データ送信側の携帯電話で行われるデータ転送処理の第２部分を示すフローチャートである。
【図９】データ送信側の携帯電話で行われるデータ転送処理の第３部分を示すフローチャートである。
【図１０】データ送信側の携帯電話で行われるデータ転送処理の第４部分を示すフローチャートである。
【図１１】データ受信側の携帯電話で行われるデータ転送処理の第１部分を示すフローチャートである。
【図１２】データ受信側の携帯電話で行われるデータ転送処理の第２部分を示すフローチャートである。
【図１３】データ受信側の携帯電話で行われるデータ転送処理の第３部分を示すフローチャートである。
【図１４】データ受信側の携帯電話で行われるデータ転送処理の第４部分を示すフローチャートである。
【図１５】ＵＳＥＲ−ＩＮＦＯメッセージのフォーマットを示す図である。
【図１６】図８のステップＳ５０，Ｓ５１で示した送信チャネルの決定方法とは別の送信チャネル決定方法を示す図である。
【図１７】無通信監視手順の前半を示す図である。
【図１８】無通信監視手順の後半を示す図である。
【図１９】携帯電話相互間で行われる流入規制のシーケンス図である。
【図２０】転送データ受信側の携帯電話で行われる規制処理を示すフローチャートである。
【図２１】転送データ送信側の携帯電話で行われる規制開始処理を示すフローチャートである。
【図２２】転送データ送信側の携帯電話で行われる規制解除処理を示すフローチャートである。
【図２３】認証手順の前半を示すフローチャートである。
【図２４】認証手順の後半を示すフローチャートである。
【図２５】ディジタル方式自動車電話システムの標準規格（ＲＣＲ−ＳＴＤ−２７Ｄ）にて規定される、電話通信と非電話通信との間の従来の切り替え手順を示したシーケンス図である。
【符号の説明】
１  データ端末
２  携帯電話
２ａ  転送データ量測定手段
２ｂ  チャネル選択手段
２ｃ  データ転送手段
２ｄ  音声伝送手段
３  基地局
【図１】
0004007642.tif 000002
【図２】
0004007642.tif 000003
【図３】
0004007642.tif 000004
【図４】
0004007642.tif 000005
【図５】
0004007642.tif 000006
【図６】
0004007642.tif 000007
【図７】
0004007642.tif 000008
【図８】
0004007642.tif 000009
【図９】
0004007642.tif 000010
【図１０】
0004007642.tif 000011
【図１１】
0004007642.tif 000012
【図１２】
0004007642.tif 000013
【図１３】
0004007642.tif 000014
【図１４】
0004007642.tif 000015
【図１５】
0004007642.tif 000016
【図１６】
0004007642.tif 000017
【図１７】
0004007642.tif 000018
【図１８】
0004007642.tif 000019
【図１９】
0004007642.tif 000020
【図２０】
0004007642.tif 000021
【図２１】
0004007642.tif 000022
【図２２】
0004007642.tif 000023
【図２３】
0004007642.tif 000024
【図２４】
0004007642.tif 000025
【図２５】
0004007642.tif 000026